(57)【要約】【課題】室内熱交換器の手前（入口）に配置された電子膨張弁に作用する液ヘッド圧を低減させ、電子膨張弁の開閉不良（作動不良）を防止すること。【解決手段】１台の室外機２と、この室外機２よりも下方に設置されて、前記室外機２と冷媒配管８を介して接続される複数台の室内機３とを備えたマルチ型空気調和機１であって、前記室外機２の、冷房運転時における出口近傍に、３つの電磁開閉弁２２，２３，２４と、長さの異なる３本のキャピラリチューブ２５，２６，２７とを備え、１つの電磁開閉弁と、この電磁開閉弁に接続された１本のキャピラリチューブとで構成されたものが、前記冷媒配管８に対して並列に配置されてなる減圧機構７が設けられている。【選択図】図１
2010236727.tif 000002
【特許請求の範囲】
【請求項１】
１台の室外機と、この室外機よりも下方に設置されて、前記室外機と冷媒配管を介して接続される複数台の室内機とを備えたマルチ型空気調和機であって、
前記室外機の、冷房運転時における出口近傍に、少なくとも２つの電磁開閉弁と、少なくとも２本のキャピラリチューブとを備え、１つの電磁開閉弁と、この電磁開閉弁に接続されたキャピラリチューブとで構成されたものが、前記冷媒配管に対して並列に配置されてなる減圧機構が設けられていることを特徴とするマルチ型空気調和機。
【請求項２】
１台の室外機と、この室外機よりも下方に設置されて、前記室外機と冷媒配管を介して接続される複数台の室内機とを備えたマルチ型空気調和機であって、
前記室外機の、冷房運転時における出口近傍に、３つの電磁開閉弁と、長さの異なる３本のキャピラリチューブとを備え、１つの電磁開閉弁と、この電磁開閉弁に接続された１本のキャピラリチューブとで構成されたものが、前記冷媒配管に対して並列に配置されてなる減圧機構が設けられていることを特徴とするマルチ型空気調和機。
【請求項３】
前記電磁開閉弁はそれぞれ、これら電磁制御弁を個々に開閉する制御器と電気的に接続されており、前記制御器は、前記室外機の、冷房運転時における出口近傍の冷媒圧力、および前記室外機を構成する圧縮機の回転数に基づいて前記電磁開閉弁を開閉させることを特徴とする請求項１または２に記載のマルチ型空気調和機。
【発明の詳細な説明】
【技術分野】
【０００１】
本発明は、マルチ型空気調和機に関し、より詳しくは、室外機と、この室外機の下方に設置された室内機との間に液冷媒のヘッド差が生じるマルチ型空気調和機に関するものである。
【背景技術】
【０００２】
室外機と、この室外機の下方に設置された室内機との間に液冷媒のヘッド差が生じるマルチ型空気調和機としては、例えば、室内熱交換器の手前（入口）に電子膨張弁を配置したものが知られている（例えば、特許文献１参照）。
【先行技術文献】
【特許文献】
【０００３】
【特許文献１】特開２００８−１８５２９２号公報
【発明の概要】
【発明が解決しようとする課題】
【０００４】
しかしながら、このようなマルチ型空気調和機を高層ビル等に設置する場合には、室外機と室内機との高低差が１００ｍ近くになることがあり、このような場合、上記特許文献１に開示されたマルチ型空気調和機（冷凍装置）では、電子膨張弁に過大な液ヘッド圧（液冷媒のヘッド差による圧力）が作用し、電子膨張弁を開閉できなくなるおそれがある。
【０００５】
本発明は、上記の事情に鑑みてなされたもので、室内熱交換器の手前（入口）に配置された電子膨張弁に作用する液ヘッド圧を低減させることができ、電子膨張弁の開閉不良（作動不良）を防止することができるマルチ型空気調和機を提供することを目的とする。
【課題を解決するための手段】
【０００６】
本発明は、上記課題を解決するため、以下の手段を採用した。
本発明に係るマルチ型空気調和機は、１台の室外機と、この室外機よりも下方に設置されて、前記室外機と冷媒配管を介して接続される複数台の室内機とを備えたマルチ型空気調和機であって、前記室外機の、冷房運転時における出口近傍に、少なくとも２つの電磁開閉弁と、少なくとも２本のキャピラリチューブとを備え、１つの電磁開閉弁と、この電磁開閉弁に接続されたキャピラリチューブとで構成されたものが、前記冷媒配管に対して並列に配置されてなる減圧機構が設けられている。
【０００７】
また、本発明に係るマルチ型空気調和機は、１台の室外機と、この室外機よりも下方に設置されて、前記室外機と冷媒配管を介して接続される複数台の室内機とを備えたマルチ型空気調和機であって、前記室外機の、冷房運転時における出口近傍に、３つの電磁開閉弁と、長さの異なる３本のキャピラリチューブとを備え、１つの電磁開閉弁と、この電磁開閉弁に接続された１本のキャピラリチューブとで構成されたものが、前記冷媒配管に対して並列に配置されてなる減圧機構が設けられている。
【０００８】
本発明に係るマルチ型空気調和機によれば、キャピラリチューブの長さは、例えば、すべての電磁開閉弁を開いて、すべてのキャピラリチューブを使用した場合の減圧の効果を「１」とし、最も長いキャピラリチューブ（以下、「最長のキャピラリチューブ」という。）に接続された電磁開閉弁のみを開いて、最長のキャピラリチューブのみを使用した場合の減圧の効果が「１／１０」、最も短いキャピラリチューブ（以下、「最短のキャピラリチューブ」という。）に接続された電磁開閉弁のみを開いて、最短のキャピラリチューブのみを使用した場合の減圧の効果が「６／１０」、最長のキャピラリチューブよりも短く、最短のキャピラリチューブよりも長いキャピラリチューブ（以下、「中間長のキャピラリチューブ」という。）に接続された電磁開閉弁のみを開いて、当該キャピラリチューブのみを使用した場合の減圧の効果が「３／１０」になるように設定されている。
そして、最長のキャピラリチューブおよび中間長のキャピラリチューブに接続された電磁開閉弁を開いて、最長のキャピラリチューブおよび中間長のキャピラリチューブを使用した場合の減圧の効果は「４／１０」、最長のキャピラリチューブおよび最短のキャピラリチューブに接続された電磁開閉弁を開いて、最長のキャピラリチューブおよび最短のキャピラリチューブを使用した場合の減圧の効果は「７／１０」、中間長のキャピラリチューブおよび最短のキャピラリチューブに接続された電磁開閉弁を開いて、中間長のキャピラリチューブおよび最短のキャピラリチューブを使用した場合の減圧の効果は「９／１０」となる。
すなわち、開く電磁開閉弁の組合せ（パターン）をかえるだけで、室外機から室内機に供給される（導かれる）液冷媒の圧力をいくつかのパターンで減じることができる。
これにより、室内熱交換器の手前（入口）に配置された電子膨張弁に作用する液ヘッド圧を低減させることができ、電子膨張弁の開閉不良（作動不良）を防止することができる。
【０００９】
上記マルチ型空気調和機において、前記電磁開閉弁はそれぞれ、これら電磁制御弁を個々に開閉する制御器と電気的に接続されており、前記制御器は、前記室外機の、冷房運転時における出口近傍の冷媒圧力、および前記室外機を構成する圧縮機の回転数に基づいて前記電磁開閉弁を開閉させるように構成されているとさらに好適である。
【００１０】
このようなマルチ型空気調和機によれば、室外機の、冷房運転時における出口近傍の冷媒圧力、および室外機を構成する圧縮機の回転数に基づいて、電磁開閉弁が瞬時に開閉され、室内熱交換器の手前に配置された電子膨張弁に作用する液ヘッド圧が最適な圧力に維持されることになる。
これにより、室内熱交換器の手前に配置された電子膨張弁に過大な液ヘッド圧が作用することを防止することができ、電子膨張弁の開閉不良（作動不良）をより確実に防止することができる。
【発明の効果】
【００１１】
本発明に係るマルチ型空気調和機によれば、室内熱交換器の手前（入口）に配置された電子膨張弁に作用する液ヘッド圧を低減させることができ、電子膨張弁の開閉不良（作動不良）を防止することができるという効果を奏する。
【図面の簡単な説明】
【００１２】
【図１】本発明の一実施形態に係るマルチ型空気調和機の概略系統図である。
【図２】図１の要部を拡大した図である。
【図３】キャピラリチューブの長さおよびその減圧の効果を説明するための図表である。
【図４】制御器にデータベースとして記憶されたデータを視覚化した図表であり、（ａ）は高圧センサで計測された計測値が規定値よりも高い場合の図表、（ｂ）は高圧センサで計測された計測値が規定値よりも低い場合の図表である。
【図５】制御器を動作させるためのフローチャートである。
【発明を実施するための形態】
【００１３】
以下、本発明に係るマルチ型空気調和機の一実施形態について、図１から図５を参照しながら説明する。
図１は本実施形態に係るマルチ型空気調和機の概略系統図、図２は図１の要部を拡大した図、図３はキャピラリチューブの長さおよびその減圧の効果を説明するための図表、図４は制御器にデータベースとして記憶されたデータを視覚化した図表であり、（ａ）は高圧センサで計測された計測値が規定値よりも高い場合の図表、（ｂ）は高圧センサで計測された計測値が規定値よりも低い場合の図表、図５は制御器を動作させるためのフローチャートである。
図１に示すように、本実施形態に係るマルチ型空気調和機１は、１台の室外機２と、複数台（例えば、２台）の室内機３とを備えている。
【００１４】
室外機２は、例えば、高層ビルの屋上に設置されるものであり、圧縮機４と、四方弁５と、室外熱交換器６と、室外ファン（図示せず）と、減圧機構７とを備えている。
室内機３は、室外機２が設置された屋上から、例えば、１００ｍ低い階層（フロア）の居室内に設置されるものであり、室内熱交換器（図示せず）と、室内ファン（図示せず）とを備えている。
室外機２と室内機３とは、冷媒配管８を介して接続されており、減圧機構７と室内機３との間に接続された冷媒配管８の途中には、液操作弁９が接続されている。液操作弁９は室外機２の近傍（出口）に配置されており、減圧機構７と液操作弁９との間に接続された冷媒配管８の途中には、管内の圧力を計測する高圧センサ１０が取り付けられている。高圧センサ１０は、後述する制御器２８と電気的に接続されており、高圧センサ１０で計測された計測値（以下、「高圧センサ値」という。）は、電気信号に変換されて制御器２８に出力される。
また、液操作弁９と室内機３との間に接続された冷媒配管８の途中には、電子膨張弁１１が接続されている。電子膨張弁（以下、「ＥＥＶ」という。）１１は各室内機３の近傍（入口）に配置されている。
【００１５】
図２に示すように、減圧機構７は、１つの逆止弁２１と、複数（本実施形態では３つ）の電磁開閉弁２２，２３，２４と、長さの異なる複数（本実施形態では３本）のキャピラリチューブ２５，２６，２７とを備えている。
電磁開閉弁２２にはキャピラリチューブ２５が接続され、電磁開閉弁２３にはキャピラリチューブ２６が接続されており、電磁開閉弁２４にはキャピラリチューブ２７が接続されている。また、逆止弁２１と、電磁開閉弁２２およびキャピラリチューブ２５と、電磁開閉弁２３およびキャピラリチューブ２６と、電磁開閉弁２４およびキャピラリチューブ２７とは、冷媒配管８を介して並列に配置されている。
電磁開閉弁２３，２４，２５はそれぞれ、制御器２８と電気的に接続されており、制御器２８から出力された電気信号によりその開閉が制御されるようになっている。
なお、逆止弁２１は、液操作弁９から室外熱交換器６への流れを許容し、室外熱交換器６から液操作弁９への流れを阻止する方向に取り付けられている。
【００１６】
ここで、キャピラリチューブ２５，２６，２７の長さは、例えば、すべての電磁開閉弁２２，２３，２４を開いて、すべてのキャピラリチューブ２５，２６，２７を使用した場合の減圧の効果を「１」（図３の「７」欄参照）とし、電磁開閉弁２２のみを開いて、キャピラリチューブ２５のみを使用した場合の減圧の効果が「１／１０」（図３の「１」欄参照）、電磁開閉弁２３のみを開いて、キャピラリチューブ２６のみを使用した場合の減圧の効果が「３／１０」（図３の「２」欄参照）、電磁開閉弁２４のみを開いて、キャピラリチューブ２７のみを使用した場合の減圧の効果が「６／１０」（図３の「４」欄参照）となるように設定されている。
そして、電磁開閉弁２２，２３を開いて、キャピラリチューブ２５，２６を使用した場合の減圧の効果は「４／１０」（図３の「３」欄参照）、電磁開閉弁２２，２４を開いて、キャピラリチューブ２５，２７を使用した場合の減圧の効果は「７／１０」（図３の「５」欄参照）、電磁開閉弁２３，２４を開いて、キャピラリチューブ２６，２７を使用した場合の減圧の効果は「９／１０」（図３の「６」欄参照）となる。
【００１７】
制御器２８には、図４（ａ）および図４（ｂ）に示す図表をデータ化したものがデータベースとして記憶（蓄積）されており、制御器２８は、図５に示すフローチャートにしたがって電磁開閉弁２２，２３，２４を開閉して  ＥＥＶ１１手前（入口）の圧力が調整されるようになっている。
すなわち、高圧センサ１０で計測された高圧センサ値が規定値以上になり、かつ、コンプ回転数（圧縮機４の回転数）が規定値以下になった場合には、制御器２８が、ＥＥＶ１１手前（入口）の圧力が所望の圧力になるように、当該制御器２８に記憶されたデータベースに基づいて使用する電磁開閉弁２２，２３，２４およびキャピラリチューブ２５，２６，２７を選択し、電磁開閉弁２２，２３，２４を開閉する。
例えば、高圧センサ１０で計測された高圧センサ値が規定値以上になり、かつ、コンプ回転数が規定値以下になって、そのときの高圧センサ値がもう一つの規定値（第２の規定値）よりも高く、コンプ回転数が制御器２８に記憶された最も高い領域内に存する場合には、電磁開閉弁２２，２４が開かれ、キャピラリチューブ２５，２７が使用されることになる。
また、高圧センサ１０で計測された高圧センサ値が規定値以上になり、かつ、コンプ回転数が規定値以下になって、そのときの高圧センサ値がもう一つの規定値（第２の規定値）よりも低く、コンプ回転数が最も低い領域内に存する場合には、電磁開閉弁２３のみが開かれ、キャピラリチューブ２６のみが使用されることになる。
【００１８】
本実施形態に係るマルチ型空気調和機１によれば、キャピラリチューブ２５，２６，２７の長さは、例えば、すべての電磁開閉弁２２，２３，２４を開いて、すべてのキャピラリチューブ２５，２６，２７を使用した場合の減圧の効果を「１」とし、最も長いキャピラリチューブ２５に接続された電磁開閉弁２２のみを開いて、キャピラリチューブ２５のみを使用した場合の減圧の効果が「１／１０」、最も短いキャピラリチューブ２７に接続された電磁開閉弁２４のみを開いて、キャピラリチューブ２７のみを使用した場合の減圧の効果が「６／１０」、キャピラリチューブ２５よりも短く、キャピラリチューブ２７よりも長いキャピラリチューブ２６に接続された電磁開閉弁２３のみを開いて、キャピラリチューブ２６のみを使用した場合の減圧の効果が「３／１０」になるように設定されている。
そして、キャピラリチューブ２５，２６に接続された電磁開閉弁２２，２３を開いて、キャピラリチューブ２５，２６を使用した場合の減圧の効果は「４／１０」、キャピラリチューブ２５，２７に接続された電磁開閉弁２２，２４を開いて、キャピラリチューブ２５，２７を使用した場合の減圧の効果は「７／１０」、キャピラリチューブ２６，２７に接続された電磁開閉弁２３，２４を開いて、キャピラリチューブ２６，２７を使用した場合の減圧の効果は「９／１０」となる。
すなわち、開く電磁開閉弁２２，２３，２４の組合せ（パターン）をかえるだけで、室外機２から室内機３に供給される（導かれる）液冷媒の圧力をいくつかのパターンで減じることができる。
これにより、室内熱交換器の手前（入口）に配置されたＥＥＶ１１に作用する液ヘッド圧を低減させることができ、ＥＥＶ１１の開閉不良（作動不良）を防止することができる。
【００１９】
また、電磁開閉弁２２，２３，２４はそれぞれ、これら電磁制御弁２２，２３，２４を個々に開閉する制御器２８と電気的に接続されており、制御器２８は、室外機２の、冷房運転時における出口近傍の冷媒圧力、および室外機２を構成する圧縮機４の回転数に基づいて電磁開閉弁２２，２３，２４を開閉させるように構成されている。
すなわち、室外機２の、冷房運転時における出口近傍の冷媒圧力、および室外機２を構成する圧縮機４の回転数に基づいて、電磁開閉弁２２，２３，２４が瞬時に開閉され、室内熱交換器の手前に配置されたＥＥＶ１１に作用する液ヘッド圧が最適な圧力に維持されることになる。
これにより、室内熱交換器の手前に配置されたＥＥＶ１１に過大な液ヘッド圧が作用することを防止することができ、ＥＥＶ１１の開閉不良（作動不良）をより確実に防止することができる。
【００２０】
なお、本発明は上述した実施形態に限定されるものではなく、本発明の要旨を逸脱しない範囲で各種変更・変形が可能である。
例えば、上述した実施形態では、３つの電磁開閉弁２２，２３，２４と、長さの異なる３本のキャピラリチューブ２５，２６，２７とを備えた減圧機構７を一具体例として挙げて説明した。しかし、本発明はこのようなものに限定されるものではなく、減圧機構７は、３つの電磁開閉弁と、長さの同じ３本のキャピラリチューブとを備えたもの、２つの電磁開閉弁と、長さの異なる２本のキャピラリチューブとを備えたもの、２つの電磁開閉弁と、長さの同じ２本のキャピラリチューブとを備えたもの、４つ以上の電磁開閉弁と、長さの異なる４本以上のキャピラリチューブとを備えたもの、４つ以上の電磁開閉弁と、長さの同じ４本以上のキャピラリチューブとを備えたものであってもよい。
【符号の説明】
【００２１】
１  マルチ型空気調和機
２  室外機
３  室内機
７  減圧機構
８  冷媒配管
２２  電磁開閉弁
２３  電磁開閉弁
２４  電磁開閉弁
２５  キャピラリチューブ
２６  キャピラリチューブ
２７  キャピラリチューブ
２８  制御器
【図１】
2010236727.tif 000003
【図２】
2010236727.tif 000004
【図３】
2010236727.tif 000005
【図４】
2010236727.tif 000006
【図５】
2010236727.tif 000007